(57)【特許請求の範囲】
【請求項１】
根茎が通過する目合いの可撓性を有するネット材の下面部に、土砂を通し難く且つ芝生の根茎が通過する目合いの、縦および横方向において疎部と密部を交互に配置したメッシュ状の不織布を重ね合わせ、さらに、ネット材の上面部に、芝生マットを重ね合わせ、これら三者を縫合または結束によって一体化して成ることを特徴とする植生マット。
【請求項２】
芝生マットとして、少なくとも一部の土壌を篩い落とした圃場で育成の芝生マット又は水耕栽培によって育成された芝生マットを用いることを特徴とする請求項１に記載された植生マット。
【請求項３】
根茎が通過する目合いの可撓性を有するネット材の下面部に、土砂を通し難く且つ芝生の根茎が通過する目合いの、縦および横方向において疎部と密部を交互に配置したメッシュ状の不織布を重ね合わせ、さらに、ネット材の上面部に、芝生マットを重ね合わせ、これら三者を縫合または結束によって一体化することを特徴とする植生マットの製造方法。
【請求項４】
請求項１または２に記載された植生マットを用いた緑化方法。
【発明の詳細な説明】
【０００１】
【発明の属する技術分野】
本発明は、例えば河川の堤や切土、盛土などの法面、その他、河川敷などを植生保護するための植生マットおよびその製造方法ならびに緑化方法に関するものである。
【０００２】
【従来の技術】
例えば河川堤の法面の護岸に際して、コンクリートブロックを堤防の法面に張り付ける従来のブロック工法に代えて、近年では、親水護岸の形成と言った景観的な見地から、芝生による護岸の形成が要望されるようになっている。
【０００３】
この要望に呼応するためには、芝生による大量の植生マットを用意する必要があり、このことから本出願人は、大量の植生マットを製造できる方法として、特願平１１−１８１２６２号を提案（但し、いわゆる公知公用ではない。）している。
【０００４】
この植生マットの製造方法は、可撓性を有するネット材を圃場に敷設し、このネット材の上に、別途圃場で育成させた芝生マットを敷き詰め、この芝生マットの根がネット材に絡まった段階で、芝生マット付きのネット材を圃場から剥がし取るものであって、この方法によれば、芝生マットの強い表層根がネット材に強固に根絡みした保形性の高い植生マットを大量に得ることができる。
【０００５】
この植生マットを例えば河川法面の植生護岸に用いる場合、植生マットを法面に敷き詰めて、これをアンカー等によって止着すれば、生芝を用いることから河川法面を施工直後に緑化できることに加えて、芝生マットがネット材に強固に根絡みしていることから、実質的に芝生マットを、ネット材を介して法面に強固に張り付けることができる。
【０００６】
従って、施工直後に河川が増水したとしても、植生マットは流水によって簡単には剥がされることなく、施工直後から高い親水護岸の機能を発揮するようになり、しかも芝生マットは、これが時を経て法面に強固に根張りするのであって、景観上で優れることは勿論、流水による法面の浸食も効果的に防止されることになる。
【０００７】
【発明が解決しようとする課題】
ところが、この提案による植生マットの製造方法では、上記の優れた機能を有する植生マットを大量に得る上で、芝生マットを育成させるための別途圃場を広く必要としたのであり、かつ、芝生マットの根がネット材に強固に絡まった植生マットを収穫するまでに約半年の期間を要したのである。
【０００８】
尤も、これは条件のよい季節でのことであって、冬季においては、移植した芝生マットの根の活着が悪くて、芝生の生育が遅れることから、植生マットの収穫期間は更に延長することになり、これは延いては、植生マットの製造期間が特定されることでもあった。
【０００９】
また、上記の植生マットの製造方法では、ネット材を圃場に敷設する一方、別途圃場で生育させた芝生マットを収穫して運搬し、この芝生マットをネット材の上に敷き詰めると言った数段階の工程を要したことから、植生マットの製造コストが高価になるという問題もあった。
【００１０】
本発明は、かゝる実情に鑑みて成されたものであって、その目的は、圃場面積が少なくて済む上に、季節を問わずして、短期間で且つコスト的に安価に製造できる植生マットおよびその製造方法ならびに緑化方法を提供する点にある。
【００１１】
【課題を解決するための手段】
即ち、本発明による植生マットは、根茎が通過する目合いの可撓性を有するネット材の下面部に、土砂を通し難く且つ芝生の根茎が通過する目合いの、縦および横方向において疎部と密部を交互に配置したメッシュ状の不織布を重ね合わせ、さらに、ネット材の上面部に、芝生マットを重ね合わせ、これら三者を縫合または結束によって一体化して成る点に特徴がある（請求項１）。
【００１２】
上記の特徴構成によれば、圃場で育成した芝生マットを収穫して、これを縫合などの手段によってネット材に一体化させることで、上記の提案によって得られる植生マット、即ち、芝生マットがネット材に強固に根絡みした植生マットと機能的に変わりのない植生マットを得ることができる。
【００１３】
この際、既に生育させた芝生を用いることから、植生マットの製造に季節が問われることがなく、しかも、上記の提案に比較して圃場面積が半分で済む上に、芝生マットをネット材に一体化させるだけの簡単な工程であることから、本発明によれば、季節を問わずに短期間で製造できる植生マットが、コスト的に安価に提供される。
さらに、この三者一体の植生マットによれば、植生マットの保形性が高くなるだけでなく、不織布が土砂を捕捉するフィルター機能を発揮することで、河川法面などの土壌の吸い出しによる侵食・崩壊が好適に防止される利点がある。即ち、河川法尻の湛水域（又はかなりの期間、湛水する法面域）では、水位の変化や波立ちなどによって、その湛水域の土壌への水の浸入と滲み出しとが繰り返されて、土壌が侵食されて崩壊することがあるが、この湛水域に、上記の三者一体の植生マットを張り付ければ、不織布がフィルター機能を発揮することで、土壌の吸い出しによる侵食・崩壊が好適に防止されるのである。
【００１４】
上記の植生マットの製造に際して、圃場から収穫した芝生マットそのものを用いてもよいのであるが、好適には、少なくとも一部の土壌を篩い落とした圃場で育成の芝生マット又は水耕栽培によって育成された芝生マットを用いて（請求項２）、植生マットの軽量化を図ることであって、これによれば、運搬コストの低減と作業性の向上とが達成される利点がある。
【００１５】
また、本発明は、根茎が通過する目合いの可撓性を有するネット材の下面部に、土砂を通し難く且つ芝生の根茎が通過する目合いの、縦および横方向において疎部と密部を交互に配置したメッシュ状の不織布を重ね合わせ、さらに、ネット材の上面部に、芝生マットを重ね合わせ、これら三者を縫合または結束によって一体化することを特徴とする植生マットの製造方法を提供する（請求項３）。
さらに、本発明は、請求項１または２に記載された植生マットを用いた緑化方法を提供する（請求項４）。
【００１６】
【００１７】
【００１８】
【発明の実施の形態】
以下、本発明の実施の形態を図面に基づいて説明する前に図１〜図５に示す参考例について説明する。図１は例えば河川法面Ｎの植生護岸の状況を示し、図２は植生護岸に用いる植生マット１を示している。
【００１９】
上記の植生マット１は、可撓性を有するネット材２に芝生マット３を一体化させて成るもので、次のようにして製造されている。即ち、図３及び図４（Ａ），（Ｂ）に示すように、縫製ミシンの作業台４上に、芝生の根茎が通過する目合いの可撓性を有するネット材２を展開する一方、別途圃場Ｓで育成した芝生マット３を収穫して、植生マット１を軽量にするために、この芝生マット３の土壌を篩い落とし、かつ、ネット材２の周部の三辺にネット部分２ａ，２ｂを残す状態で、このネット材２の上面部に芝生マット３を重ね合わせて、自動縫製機を作動させるのである。
【００２０】
そして、この重ね合わせたネット材２と芝生マット３とを、縫製糸５によって縫合し、芝生マット３をネット材２に一体化させた植生マット１を製造するのであって、この製造方法によれば、ネット材２には芝生マット３の根が絡まってはいないものの、この両者２，３が縫製糸５によって一体化されていることから、芝生マットがネット材に根絡みした植生マットと機能的に変わりのない植生マット１を得ることができる。
【００２１】
尚、植生マット１の長手方向両側に残すネット材部分２ａの幅を、それぞれ例えば１０ｃｍとし、幅方向一側にのみ残すネット部分２ｂの幅を、例えば１５ｃｍとしている。
【００２２】
上記の可撓性ネット材２としては、耐久性に富む高張力の繊維、例えばナイロンやポリエステル、アラミド、カーボン、ガラス、ポリアセタール等の繊維を用いて、目合い２〜１５ｍｍの格子状に成型したものが好適に使用されるが、上記の繊維による線条を用いて、上記と同様の目合いの網状体に編組したものにしてもよく、これら両者を重ね合わせてもよいのであって、どのタイプのネット材２を用いるにしても、幅１ｍ当たりの引っ張り強度が０．５〜７．０トン程度のものであることが望ましく、この実施の形態では、河川の想定流速に合わせて、引っ張り強度が２．０〜６．０トンのジオグリッド（タキロン株式会社の商品名；ジオネット）を採用している。
【００２３】
一方、縫製糸５としては、例えば綿や麻などの腐食性の繊維製糸や、生分解性のプラスチック繊維製糸などを用いることが、エコロジー面で好適であるが、その他、金属線材やプラスチック繊維の製糸を用いてもよいのである。
【００２４】
次に、河川法面Ｎの植生護岸例について説明する。先ず、図１及び図５に示すように、法尻の湛水域（又はかなりの期間湛水する部分）を適宜掘削して、この掘削部に、例えばカゴマット７の張り工法を実施（その他、捨て石やフトンカゴの敷設も好適である。）する。
【００２５】
この際、カゴマット７の下側に、上記のネット材２と同様のネット材８を適宜の幅にわたって敷き込む一方、想定される増水時の最高水位付近、好ましくは最高水位Ｈよりもやゝ上部側の護岸域にも、上記のネット材２と同様のネット材９を埋設し、更に、上記のネット材２と同様のネット材１０を、例えば１０ｍ〜３０ｍの間隔で、上下のネット材９，８にわたって敷設し、必要に応じて、これらのネット材８〜１０をアンカー１１止めしておく。
【００２６】
そして、図１に示すように、例えば植生マット１の長手方向一方のネット部分２ａにフック部材１２を引っかけて、クレーン１３などを利用して、上記構成の植生マット１を法面Ｎに張設し、上下ならびに左右方向で隣り合う植生マット１，１の夫々の重ね合わせ部を、予め護岸域に埋設した接続金具１４に係止させ、かつ、植生マット１にアンカー１５を打設し、必要に応じて植生マット１を覆うように、芝生マット３に覆土１６を施すのである。
【００２７】
上記の植生護岸工法によれば、その工法に用いる植生マット１が、芝生マット３を縫製によってネット材２に一体化させた保形性の高い植生マット１であって、この植生マット１の隣り合うネット材２が、金具１４やアンカー１５などで法面Ｎに固定されることから、植生マット１は、実質的に四側辺が互いに連結された状態で、ネット材２を介して法面Ｎに強固に張り付けられることになり、かつ、芝生マット３は時を経て法面Ｎに強固に根張りすることになる。
【００２８】
従って、この植生護岸工法によれば、法面Ｎ全体の均一な緑化植生を期することができる上に、植生マット１の施工直後に河川が増水したとしても、植生マット１は、流水によって簡単に崩れたり剥がれたりしないのであって、施工直後から高い親水護岸の機能を発揮するのであり、景観上で優れることは勿論、流水による法面Ｎの浸食も効果的に防止されるのである。
【００２９】
上記の植生マット１の製造方法では、芝生マット３の土壌を篩い落とすことから、例えば規格寸法として、９０ｃｍ×２８０ｃｍの大きさの植生マット１を製造した際の、この植生マット１のｍ2 当たりの重量は約５Ｋｇ、一枚当たりの重量は約１３Ｋｇ、水分を多く含んだ状態で、一枚当たりの重量は約２０Ｋｇであって、植生マット１を非常に軽量なものとして製造することができる。
【００３０】
従って、この植生マット１によれば、取り扱いが容易であるだけでなく、施工スピードも速くすることができるのであり、更には、植生マット１を、上記の規格寸法よりも大きく製造したとしても、これの取り扱いが容易であることに変わりはなく、かつ、施工スピードのアップも達成されるのである。
【００３１】
尚、植生マット１として、これの三辺にネット部分２ａ，２ｂを張り出させて、重ね合わせ部を金具１４に係止させているが、ネット部分２ａ，２ｂを張り出させることは必須の要件ではない。
【００３２】
図６，７は、本発明の実施の形態による植生マット１を示している。この植生マット１は、ネット材２と芝生マット３との組み合わせに加えて、土砂を通し難く且つ芝生の根茎が通過する目合いのメッシュ状の不織布１７をも一体化させて成り、具体的には、図７（Ａ），（Ｂ）に示すように、縫製ミシンの作業台４上に不織布１７を、かつ、この不織布１７の上面部にネット材２を展開する一方、別途圃場Ｓで育成した芝生マット３を収穫して、この芝生マット３の土壌を篩い落とし、この芝生マット３をネット材２の上面部に重ね合わせて、これら不織布１７とネット材２および芝生マット３の三者を縫製糸５によって縫合し、芝生マット３をネット材２に一体化させた不織布１７付きの植生マット１としているのである。
【００３３】
この構成による植生マット１によれば、植生マット１の保形性が更に高くなるだけでなく、不織布１７がフィルター機能を発揮することで、河川法面などの土壌の吸い出しによる侵食・崩壊が好適に防止される利点がある。
【００３４】
上記の不織布１７は、例えばポリエステル、ビニロン、ナイロン等の合成繊維からなり、縦および横方向において、疎部１７ａと密部１７ｂとを交互に配置した状態で有している。
【００３５】
この内の疎部１７ａは、不織布１７を形成する素材が存在していなかったり、或いは図示するように、素材が細かい糸状になって疎部１７ａに張られた状態で存したりして、芝生の根茎は通過し得るものの、土砂を通し難い部分となっており、かつ、この疎部１７ａに芝生の根茎が通過した際には、更に土砂を通し難い部分となるようになっており、一方、密部１７ｂは、不織布１７を形成する素材が一定以上密に詰まっていて、芝生の根茎や土砂を通さない程度以上の強度となっている。
【００３６】
ここで、疎部１７ａの幅寸法Ｂを０．３ｍｍよりも小さくすると、芝生の根茎の通過が困難になり、幅寸法Ｂを５．０ｍｍよりも大きくすると、土砂を通し易くなって、土壌の吸い出しによる侵食・崩壊の防止効果が低下することから、隣り合う密部１７ｂ，１７ｂのピッチＡを０．５〜１０ｍｍとし、疎部１７ａの幅寸法Ｂを０．３〜５．０ｍｍとすることが望ましい。又、疎部１７ａの幅寸法Ｂが大きい場合には、上記したように、細かい糸状の素材を疎部１７ａに張らせることが望ましい。
【００３７】
このことから、この実施の形態では、１０ｍｍ×１０ｍｍの大きさの不織布１７において、細かい糸状の素材が張られた疎部１７ａが、横方向に５〜６個、縦方向に３〜４個形成されたものを採用しており、この不織布１７の目付量は、３０〜７０ｇ／ｍ2 となっている。
【００３８】
【００３９】
尚、ネット材２と芝生マット３、更に加えて不織布１７の三者の縫合に際して、圃場Ｓで育成した芝生マット３の土壌を篩い落として、植生マット１の軽量化を図っているが、土壌の篩い落としは必須の要件ではなく、圃場Ｓで収穫した芝生マット３そのものを縫合してもよいのである。
【００４０】
勿論、植生マット１の軽量化のためには、土壌を出来るだけ篩い落とすことが望ましいのであるが、この土壌の篩い落としの工程を省略する上で、水耕栽培によって育成させた芝生マット、即ち、浅いトレイ（例えば深さが２〜３ｃｍで０．５ｍ×１．０ｍの矩形状のトレイ）に水解紙あるいは軽量培地を敷いて、この上に、芝生の種子、或いは、種苗（根茎やランナーを含む）を播種し、水耕栽培で育成させた芝生マットを用いることが好適である。
【００４１】
また、ネット材２と芝生マット３、更に加えて不織布１７を、縫製糸５による縫合の手段で一体化させているが、縫製糸５に代えてステイプル等による結束の手段で一体化を図るようにしてもよいのである。
【００４２】
【発明の効果】
以上説明したように、請求項１記載の発明によれば、本出願人が既に提案しているところの優れた機能を有する植生マットと機能的に変わりのない植生マットを、圃場面積を半分にして、かつ、季節を問わずして、短期間で製造されるものにして、これをコスト的に安価な植生マットを提供することができる。さらに、保形性が高くなることに加えて、土壌の吸い出しによる侵食・崩壊が好適に防止される植生マットが提供される。
【００４３】
そして、請求項２記載の発明によれば、植生マットの軽量化を図り得ることから、運搬コストの低減と作業性の向上とが達成される。
【図面の簡単な説明】
【図１】  河川堤防の法面に対する植生護岸の状況説明図である。
【図２】  一部を取り出して拡大し断面図示した参考例の植生マットの斜視図である。
【図３】  前記参考例の植生マットの製造手順を示す斜視図である。
【図４】  （Ａ）は作業台へのネット材の展開ならびに芝生マット重ね合わせの説明図、（Ｂ）はネット材と芝生マットとを縫合した前記参考例の植生マットの断面図である。
【図５】  一部を取り出して拡大図示した植生護岸の状況を示す断面図である。
【図６】  一部を取り出して拡大し断面図示した本発明の実施の形態による植生マットの斜視図である。
【図７】  図６に示す上記実施の形態による植生マットの製造説明図で、（Ａ）は作業台への不織布とネット材の展開ならびに芝生マット重ね合わせの説明図、（Ｂ）は不織布とネット材および芝生マットの三者の縫合説明図である。
【符号の説明】
２…ネット材、３…芝生マット、１７…不織布。
【図１】
0004392119.tif 000002
【図２】
0004392119.tif 000003
【図３】
0004392119.tif 000004
【図４】
0004392119.tif 000005
【図５】
0004392119.tif 000006
【図６】
0004392119.tif 000007
【図７】
0004392119.tif 000008